Podtech/llm-jp-corpus-v4-ja_patent huggingface dataset:
(57)【要約】      （修正有）【課題】農作業中の除草剤の散布を耕起や代掻の作業中に同時に耕運機を使用して行うことが可能な除草剤散布機能を兼備したトラクターの提供。【解決手段】トラクターの先端に除草剤入りのタンク４を搭載して、除草剤散布用のノズル５を前後に設け、この噴霧ノズルはタンクからホースで接続され、タンクにはモーターを設け、トラクターＡの運転台の右側下にスイッチＳを設ける。これにより、耕運機の運転中に除草剤の散布を同時に行い、稲作りのうちの除草剤の散布作業の回数を省力化する。【選択図】図１
0003137100.tif 000002
【実用新案登録請求の範囲】
【請求項１】
トラクターＡの後部にロータリー装置Ｂを接続して一体としたトラクターにおいて、トラクターＡの先端（１）にアーム（３）を設けて除草剤入りのタンク（４）を搭載し、該トラクター先端（１）とロータリー装置終端（３）に除草剤噴霧用のノズル（５）を装着し、前記除草剤入りタンク（４）からモーター（６）を介してホース（７）をノズル（５）に接続し、運転台側面下に操作スイッチＳを設けたことを特徴とした乗用トラクター。
【考案の詳細な説明】
【技術分野】
【０００１】  本考案は、除草剤散布機能を兼備したトラクターに関する。
【背景技術】
【０００２】  一般に使用されているトラクターは、自走しながら表土を破砕・撹拌する農業機械で、普通はトラクターにロータリー装置を一体としたもので、田圃の耕起や代掻に使われている。そして農作業には田植を始め草取り、稲刈り等多くの作業があり、中でも除草作業は稲作の中で最も重要な作業であり収穫までの間に何回も行うこととなっている。
【特許文献１】  特開２００１−１２０１５２号公報
【考案の開示】
【考案が解決しようとする課題】
【０００３】  本考案は、除草剤の散布を、耕起や代掻の農作業と同時にトラクターを使用して行うことを目的としたものである。
【課題を解決するための手段】
【０００４】  考案者は上記目的を達成し少しでも除草剤散布の手間を省くため、鋭意試作研究の結果本考案に到達したものであって、本考案は図１に示すようにトラクターの先端部に支持アーム（３）を設けこの上に除草剤入りのタンク（４）を搭載する。そして薬剤噴霧ノズル（５）をトラクターの前後に配置するものとし、この噴霧ノズル（５）はタンク（４）からホース（７）で接続され、タンク（４）にはモーター（６）を設け、トラクターＡの運転台の右側下にスイッチＳを設けることによって、除草剤の噴霧が可能となった。なお図示では確認ができないが、ノズルは車体の右側に向けて装着するように配され、スイッチも右側下運転手の手もとに配されているため、田の畝に向けての噴霧が効果的に行える。
【考案の効果】
【０００５】  前述のように本考案のトラクターは除草剤噴霧装置を兼備しているため、田圃の表土の破砕・撹拌、特に畝作りの際に除草剤の散布が同時にできるため、その後で行う除草剤の散布の手間が省けるという画期的な省力効果を奏する。
【考案を実施するための最良の形態】
【０００６】  添付図面により本考案を実施するための最良の形態を説明すると、図１は本考案のトラクター全体を表わす側面図であって、Ａはトラクター部分を示し、Ｂはロータリー装置を示していて、トラクターＡと一体となってトラクターを形成している。この全体図から明らかなように本考案のトラクターは、トラクターＡ部分の最前面に除草剤入りのタンク（４）を搭載していて、この部位に噴霧ノズル（５）を設け、またロータリー装置Ｂの後方にも噴霧ノズル（５）を設け、運転席の側面下にスイッチＳを設け、トラクター運転席の側面下にスイッチＳを設けて、ノズル（５）、（５）からの噴霧をその都度行えるようにする。図２はトラクターＡの前部の詳細図、図３はロータリー装置Ｂの最後部の詳細図を示している。
【実施例】
【０００７】  図１及び図２により本考案のトラクターを説明する。Ａはトラクター部分であって、当然のことながらエンジン部、運転席、車輪等が図示されていて、このトラクターの最先端（１）にアーム（３）を装着し、このアーム（３）に除草剤入りのタンク（４）を搭載する。このタンク（４）は２０リットル入り、或はそれ以上の容量が必要である。【０００８】  タンク（４）にはモーター（６）が設けてありパイプ（７）がノズル（５）に接続されていて、図示していないが導線がバッテリーとスイッチＳに接続されていて運転席のスイッチＳをＯＮにすることによってノズル（５）から除草剤が噴霧される。【０００９】  一方図３を参照してロータリー装置Ｂの最後端（２）にノズル（５）が装置されていて、このノズル（５）にも前記同様最前部除草剤タンク（４）からのホース（７）が接続されていて、スイッチＳをＯＮすることによって除草剤がホース（７）を通してノズル（５）から噴霧される。【００１０】  この除草剤の噴霧は、図示していないが切替コックを用いて前後別々に噴霧することも可能であり、またこの除草剤の噴霧作業は、耕運作業中特に畝作りの際に行うことを要件とするため、ノズル（５）をトラクターに対して運転席側方向に向けて装着することが便利である。
【産業上の利用可能性】
【００１１】  本考案のトラクターは従来のトラクターに除草剤噴霧機能を兼備しているため農作業に能率よく使用できる。このため農家の間で人気があり、この利用可能性は大きい。
【図面の簡単な説明】
【００１２】
【図１】  本考案を示す全体の側面図
【図２】  トラクター最前部の詳細図
【図３】  ロータリー装置最後部の詳細図
【符号の説明】
【００１３】  （１）…トラクター最前部
（２）…ロータリー装置最後部
（３）…アーム
（４）…タンク
（５）…噴霧ノズル
（６）…モーター
（７）…薬剤送付パイプ
Ａ…トラクター
Ｂ…ロータリー装置
Ｓ…スイッチ
【図１】
0003137100.tif 000003
【図２】
0003137100.tif 000004
【図３】
0003137100.tif 000005
(57)【要約】      （修正有）【課題】装飾品の台座内部に平面状または棒状のアンテナを設けた、地上波デジタル、ワンセグテレビ向け受信アンテナの提供。【解決手段】置物の台座３の裏面に平面状アンテナ４をビス５で取り付けたものである。アンテナ出力コネクター２からテレビ、パソコンなどの入力端子にケーブルで接続される。室内装飾品を利用することで、テレビの設置場所の変更が容易になり、室内の美観を損なうことがない。また、現在市販されている装飾品も、装飾部分の設計変更の必要がなく、台座部分の変更のみで実施が容易である。【選択図】図２
0003137099.tif 000002
【実用新案登録請求の範囲】
【請求項１】
室内装飾品の台座内部に、平面状または棒状のアンテナ部を設け、地上波デジタル、ワンセグテレビ放送などを受信することを目的とした室内アンテナ。
【考案の詳細な説明】
【技術分野】
【０００１】  本考案は、装飾品の台座内部に平面状または棒状のアンテナを設けた、地上波デジタル、ワンセグテレビ向け受信アンテナである。
【背景技術】
【０００２】  従来は、装飾品の台座内部にアンテナを設けた室内アンテナはなかった。
【考案の開示】
【考案が解決しようとする課題】
【０００３】  従来からアンテナは室内の壁などに穴を開け、室外のベランダ、外壁、屋根などに取り付ける場合が多かったが、これらはテレビの設置場所が固定されてしまう、室内に設置すると美観を損なうなどの欠点があった。
【課題を解決するための手段】
【０００４】室内装飾品の台座をアンテナに利用した。
【考案の効果】
【０００５】  テレビの設置場所の変更が容易になり、室内の美観を損なうことがない。また現在市販されている装飾品も、装飾部分の設計変更の必要がなく、台座部分の変更のみで、実施が容易である。
【図面の簡単な説明】
【０００６】
【図１】本考案の、台座を利用したアンテナの実施例を示す正面図である。
【図２】台座裏面に取り付けられた平面状アンテナを台座底面から見た図である。
【符号の説明】
【０００７】  １  装飾部
２  アンテナ出力コネクター
３  台座
４  平面状アンテナ
５  アンテナ取り付けビス
【図１】
0003137099.tif 000003
【図２】
0003137099.tif 000004
(57)【要約】      （修正有）【課題】ペーパー型石鹸を持ち運び可能な収納ケースの提供。【解決手段】複数枚のペーパー型石鹸１０を収納するための収納スペースを有した箱形の収納部２と、収納部２に対しスライド可能に係合された蓋部４と、収納部２に対し蓋部４が閉じた状態に係止するための係止部６，７とから構成されることを特徴とする。【選択図】図１
0003137057.tif 000002
【実用新案登録請求の範囲】
【請求項１】
複数枚のペーパー型石鹸を収納するための収納スペースを有した箱形の収納部と、
前記収納部に対しスライド可能に係合された蓋部と、
前記収納部に対し前記蓋部が閉じた状態に係止するための係止部と
から構成されることを特徴とするペーパー型石鹸の収納ケース。
【請求項２】
前記収納部の長手方向の内側面には、前記ペーパー型石鹸を取り出すための誘いとなる傾斜部が設けられている
ことを特徴とする請求項１に記載のペーパー型石鹸の収納ケース。
【請求項３】
前記収納部の底面には、複数のリブ若しくは突起が設けられている
ことを特徴とする請求項１または請求項２に記載のペーパー型石鹸の収納ケース。
【考案の詳細な説明】
【技術分野】
【０００１】
本考案は、ペーパー型石鹸を収納した状態において、持ち運び可能なペーパー型石鹸の収納ケースに関する。
【背景技術】
【０００２】
従来、石鹸の収納ケースとしては、いわゆる固形石鹸を収納するためのものがあった。
【０００３】
しかしながら、通常、固形石鹸は洗面所や風呂場に据え置いて使用するものであり、このような固形石鹸を収納ケースに収納したとしても、非常にかさばるものであり、持ち運びには不向きであった。
【０００４】
考案者は、一回の使用で使い切ることに適したサイズのペーパー型石鹸の実用化をしたが、当該ペーパー型石鹸を収納しておき、あるいは、持ち運ぶに適した収納ケースはない。
【考案の開示】
【考案が解決しようとする課題】
【０００５】
本考案は、ペーパー型石鹸の実用化に合わせて、これを収納しておき、あるいは、持ち運ぶのに好適な収納ケースの提供を課題とする。
【課題を解決するための手段】
【０００６】
請求項１に記載の考案は、複数枚のペーパー型石鹸を収納するための収納スペースを有した箱形の収納部と、前記収納部に対しスライド可能に係合された蓋部と、前記収納部に対し前記蓋部が閉じた状態に係止するための係止部とから構成されることを特徴とする。
【０００７】
請求項２に記載の考案は、請求項１に記載のペーパー型石鹸の収納ケースにおいて、前記収納部の長手方向の内側面には、前記ペーパー型石鹸を取り出すための誘いとなる傾斜部が設けられていることを特徴とする。
【０００８】
請求項３に記載の考案は、請求項１または請求項２に記載のペーパー型石鹸の収納ケースにおいて、前記収納部の底面には、複数のリブ若しくは突起が設けられていることを特徴とする。
【考案の効果】
【０００９】
本考案は、上記の構成としたことにより、以下の効果を奏する。
【００１０】
請求項１の考案によれば、ペーパー型石鹸は一回の使用で使い切るサイズに形成されているため、固形石鹸の場合と異なり、石鹸を手に取った後、収納場所に戻す必要がないという利便性を有し、更に、衛生面の上でも非常に好適である。そして、このようなペーパー型石鹸を収納ケースに収納した状態で自由に持ち運びすることができるため、所望の時に手洗いなどを行うことができる。
【００１１】
請求項２の考案によれば、収納ケースを開閉した状態で、ペーパー型石鹸を取り出す際、スムーズにスライドさせながら取り出すことができる。
【００１２】
請求項３の考案によれば、複数のペーパー型石鹸を積層させて収納している際、最下部のペーパー型石鹸と収納部の底部との接触面積を低減することができるため、当該ペーパー型石鹸が底部に固着してしまうことを抑制できる。
【考案を実施するための最良の形態】
【００１３】
実施の形態１．
以下、本考案に係るペーパー型石鹸の収納ケースの一実施形態について、図面に基づいて説明する。
【００１４】
図１及び図２は、本実施形態に係るペーパー型石鹸の収納ケースの開状態を示す斜視図であり、図１はペーパー型石鹸を収納した状態を示す。図３は、図１に示すＩ−Ｉ断面図、図４は、図１に示すII−II断面図である。図５は、図２に示すIII−III断面図である。
【００１５】
図１〜図５において、１はペーパー型石鹸の収納ケースである（以下、収納ケース１）であり、１０はペーパー型石鹸である。
【００１６】
以下、収納ケース１の構造について詳細に説明する。
【００１７】
２はペーパー型石鹸１０を積層状態に収納するための箱形の収納部であり、長手方向の左右両端にスライドレール溝３を有す。
【００１８】
４はスライドレール溝３と係合するスライド爪５を有し、収納部２に対しスライド可能な蓋部である。
【００１９】
６は収納部２に形成された係止溝であり、７は蓋部４に形成された係止爪である。すなわち、収納部２に対し蓋部４がスライドし閉状態となった際には、係止溝６に係止爪７が係合し、収納ケース１の閉状態を保持する。
【００２０】
８は収納部２の底部に複数設けられたリブである。なお、本実施形態では複数のリブとしたが、底部略全面に複数設けた突起としても良い。
【００２１】
９はペーパー型石鹸１０を図１中矢印Ａ方向にスライドさせて取り出す時の誘いとなる傾斜部である。
【００２２】
以上に、収納ケース１の構造について説明したが、このような収納ケース１が奏する効果について以下説明する。
【００２３】
ペーパー型石鹸１０は一回の使用で使い切るサイズに形成されているため、固形石鹸の場合と異なり、石鹸を手に取った後、収納場所に戻す必要がないという利便性を有し、更に、衛生面の上でも非常に好適である。そして、このようなペーパー型石鹸１０を収納ケース１に収納した状態で自由に持ち運びすることができるため、所望の時に手洗いなどを行うことができる。
【００２４】
収納ケース１を開閉した状態で、ペーパー型石鹸１０を取り出す際、傾斜部９を誘いとしてスムーズにスライドさせながら取り出すことができる。
【００２５】
複数のペーパー型石鹸１０を積層させて収納している際、リブ８により、最下部のペーパー型石鹸１０と収納部２の底部との接触面積を低減することができるため、当該ペーパー型石鹸１０が底部に固着してしまうことを抑制できる。
【図面の簡単な説明】
【００２６】
【図１】本実施形態に係るペーパー型石鹸の収納ケースの開状態を示す斜視図である。
【図２】本実施形態に係るペーパー型石鹸の収納ケースの開状態を示す斜視図である。
【図３】図１に示すＩ−Ｉ断面図である。
【図４】図１に示すII−II断面図である。
【図５】図２に示すIII−III断面図である。
【符号の説明】
【００２７】
１  収納ケース
２  収納部
４  蓋部
６，７  係止部
８  リブ（若しくは突起）
９  傾斜部
１０  ペーパー型石鹸
【図１】
0003137057.tif 000003
【図２】
0003137057.tif 000004
【図３】
0003137057.tif 000005
【図４】
0003137057.tif 000006
【図５】
0003137057.tif 000007
(57)【要約】      （修正有）【課題】コップを洗う時、回転運動なので洗い面にむらがなく、スポンジ等が汚れ破損した場合は、スポンジ等を新しい物と取替えて使用する事が可能なので本体を捨てなくてよいコップ洗い具の提供。【解決手段】コの字形のステン丸棒のスポンジ等はさみ部３にスポンジ等４をはさみコップに差し入れ、ハンドル２の先端に付いている回転用球形つまみ１で回転させてコップの汚れを落とす。【選択図】図１
0003137075.tif 000002
【実用新案登録請求の範囲】
【請求項１】
コップを洗う時、上下運動で洗うのではなく円運動で使用し、スポンジ等が汚れ破損した時、本体ごと捨てるのではなく本体に新しいスポンジ等に取替えて使用するコップ洗い具。
【考案の詳細な説明】
【技術分野】
【０００１】  本考案は、コの字型の間に洗いスポンジ等をはさみ込み、球形つまみでハンドルを回転させ、コップの汚れ面をきれいにするコップ洗いに関するものである。
【背景技術】
【０００２】  従来のコップ洗いは、スポンジ、又は、ハケ式で細長い棒状の一体物もあり、又、軸棒にスポンジを束ねて使用するものがあった（実用新案公報参照）。
【実願文献１】
実開平７−５５５６
【考案の開示】
【考案が解決しようとする課題】
【０００３】  これには、次のような問題点があった。
（イ）一体物なので汚れ、破損した場合、全部を捨てるしかなかった。
（ロ）上下運動なので作業に難がある。
（ハ）コップ底など洗い面にむらがある。
本考案は、これらの問題点を解決するためになされたものである。
【課題を解決するための手段】
【０００４】  コップを洗う時、回転運動なので洗い面にむらがなく、スポンジ等が汚れ破損した場合は、スポンジ等を新しい物と取替えて使用する事が可能なので本体を捨てなくてよいコップ洗い具である。
【考案の効果】
【０００５】  洗い面との接点が大であり、コップ底の汚れもきれいに出来、スポンジ等が汚れ破損した時、新しいスポンジ等に取替えて使用するので衛生的である。
【考案の実施するための最良の形態】
【０００６】  以下、本考案の実施の形態について説明する。
（イ）コの字形ステンレス丸棒にステン丸棒ハンドルを取付ける。
（ロ）その先端に球形つまみを装着する。
【実施例】
【０００７】  本考案は以上のような構造で、これを使用する時には、コの字形のステン丸棒のスポンジ等はさみ部（３）にスポンジ等（４）をはさみコップに差し入れ、ハンドル（２）の先端に付いている回転用球形つまみ（１）で回転させてコップの汚れを落とす。
【図面の簡単な説明】
【０００８】
【図１】  本考案の断面図
【図２】  本考案の使用図
【符号の説明】
【０００９】  １  回転用球形つまみ
２  ハンドル
３  スポンジ等はさみ部
４  スポンジ等
【図１】
0003137075.tif 000003
【図２】
0003137075.tif 000004
【手続補正書】
【提出日】平成19年7月23日(2007.7.23)
【手続補正１】
【補正対象書類名】実用新案登録請求の範囲
【補正対象項目名】全文
【補正方法】変更
【補正の内容】
【実用新案登録請求の範囲】
【請求項１】
ステン丸棒でコの字形に作成した上部にハンドル用として使用するステン丸棒を接続し、ハンドル先端にハンドル回転用球形つまみを取り付け、使用時はコの字形の間にスポンジ等をはさみ、球形つまみで本体を回転させ使用、洗い、スポンジ等が破損、汚れが生じた時はスポンジ等を新しい物に取り替えて使用するコップ洗い具。
(57)【要約】      （修正有）【課題】取付け取外しが簡単で、調整ネジを最適水量に調整、固定する事で開栓バルブを大きく開き過ぎても、水の無駄を防ぎ蛇口に活性炭素等も取付け出来る水量調整具の提供。【解決手段】蛇口と開栓バルブの中間に、水量調整具３を設ける事により、取付けが簡単に出来、家庭内設置なので紛失盗難に関係なく、水量調整もマイナスドライバーで出来る。【選択図】図２
0003137074.tif 000002
【実用新案登録請求の範囲】
【請求項１】
一般家庭の台所で、使用する水道水量を調整具で、無駄な水を出さないように調整固定し、蛇口バルブを開けすぎても、常に敵量の水量しか出ない水の無駄を防ぐ水量調整具。
【考案の詳細な説明】
【技術分野】
【０００１】  本考案は、台所で使用している水道止水バルブと蛇口の中間に、調整具を設けて、水量を調整することに関するものである。
【背景技術】
【０００２】  特許文献１には流体配管内に設置したものと実願文献２があり、いずれも粉失や盗難防止を主眼にしているようで、これは、車の洗浄用で営業用である。
【特許文献１】特開２００１−６５０１６号
【実願文献２】
実願２００６−５２８９
【考案の開示】
【考案が解決しようとする課題】
【０００３】  これには、次のような問題点があった。
（イ）車の洗浄等の営業用向けである。
（ロ）装置が蛇口に取付けである。
（ハ）特殊な工具でなければ取付け取外しが出来ない。
（二）紛失、盗難防止が主眼で一般家庭向きでない。
本考案は、これらの問題点を解決するためになされたものである。
【課題を解決するための手段】
【０００４】  蛇口と開栓バルブの中間に、水量調整具を設ける事により、取付けが簡単に出来、
0003137074.tif 000003
である。
【考案の効果】
【０００５】  調整具を、蛇口と開栓バルブ中間に設けて一体型にしたことで、取付け取外しも簡単になり、水量の最適固定化により、開栓の開け過ぎでも水の無駄を防ぎ蛇口に活性炭素等の取付け可能である。
【考案の実施するための最良の形態】
【０００６】  以下、本考案の実施の形態について説明する。
本考案調整具は、水道用具専門業者と打合せをして作成し、各水道局の意見も聞き実施するのが前提である。
【実施例】
【０００７】  本考案は以上のような構造で、これを使用する時には、敷地内水道止水バルブを閉め通水を止める。円形水量調整ネジ（３）を蛇口本体（６）にネジ込み、開栓バルブ
0003137074.tif 000004
転用ドライバー穴（７）に差し込み設定し円形止水板ゴム板（２）をのせ、円形止水キャップ（１）でキャップ止めする。
【図面の簡単な説明】
【０００８】
【図１】本考案の展開図である。
【図２】本考案の円形水量調整ネジ図である。
【符号の説明】
【０００９】  １  円形止水キャップ
２  円形止水ゴム板
３  円形水量調整ネジ
４  開栓バルブ
５  接続部
６  蛇口本体
７  回転用ドライバー穴
８  流水路
【図１】
0003137074.tif 000005
【図２】
0003137074.tif 000006
【手続補正書】
【提出日】平成19年7月23日(2007.7.23)
【手続補正１】
【補正対象書類名】実用新案登録請求の範囲
【補正対象項目名】全文
【補正方法】変更
【補正の内容】
【実用新案登録請求の範囲】
【請求項１】
一般家庭台所水道の蛇口と開栓バルブの間に別に水量調整バルブを設けた一体構造で、水量調整バルブはネジ差し込み用のネジ切り込みを設けその切り込みに水通路の穴がある円形のネジ式水量調整バルブをねじ込み、ドライバでバルブを回して最適量の出水量に調整し、設定した後に調整バルブの上に止水用ゴムパッキンを乗せ、ゴムパッキンを押さえつけるネジ式の上ブタで締めつけ、開栓バルブを大きく開けても常時最適最量に設定した水量しか出ない水無駄を防ぐ水量調整具。
(57)【要約】【課題】  本考案はカ−ト本体にベアリング内臓の歯車とゴムベルトを使用し、階段を上り下りする物である。【解決手段】  本考案はカ−ト本体が階段の傾斜を移動する為に１，ベアリング内臓歯車と、２，ゴムベルトで移動する、３，ガイド５，歯車にて階段の段差をゴムベルトがたわむ事なく傾斜を移動、Ａの状態、カ−ト本体が階段の傾斜と平行に保つ為に、６，階段用持ち手、階段に対して直角に持ち手を延ばしカ−ト本体が階段の傾斜に平行が保てる。【選択図】図１
0003137076.tif 000002
【実用新案登録請求の範囲】
【考案の詳細な説明】
【技術分野】
【０００１】本考案は回転式ベルトをカ−トの側面に取り付け階段を移動する物である。
【背景技術】
【０００２】駅などの階段では荷物の入ったカートを持ち上げ移動しなければならない。
【考案の開示】
【考案が解決しようとす課題】
【０００３】駅などの階段では、重いカートを持ち上げながら階段を上り下りしている、都心の駅にはエレベータ及びエスカレ−タがあるが郊外の駅にはエレベータ及びエスカレ−タがある所はまだまだ少ない、特に高齢者には負担が大きい。
【課題を解決するための手段】
【０００４】本考案はカ−トの持ち手はカ−ト本体、側面上の伸縮カイド棒に持ち手が付いていますが、階段上を移動する為にガイド棒に対して、第２のガイドを直角に延ばし持ち手を付け、カ−トほんたいの階段に対する傾斜に平行を保ち、階段を回転ベルトにより移動する。
【考案の効果】
【０００５】カ−トは平らな道を移動するのには便利だが旅行や買い物時はカ−トは重くなっているわけです、階段や段差でカ−トを持ち上げる事なく楽に移動が可能。
【考案を実施するための最良の形態】
【０００６】ベアリング内臓の歯車を使用、階段の傾斜を直線上に進ためにカ−トの側面に小さな歯車を平行に並べ、ベルトが歯車上を、たわむ事なく階段の移動ができる。
【実施例】
【０００７】１，ベアリング内臓歯車にて、軽量でスム−ズな回転が可能。
２，丸ベルト（ゴムパッキン）柔らかくスム−ズに歯車と連動し、移動ができる。
３，ガイド内の歯車により、段差をスム−ズに、たわみ、脱輪する事なく移動ができる
４，カ−トに内臓している持ち手に、直角にガイドを延ばす事により、段差移動時に、カ−トの本体が階段の傾斜と平行に保てる。
【図面の簡単な説明】
【０００８】図１，本考案の楽楽カ−トの実施例を示す図面である。
【符号の説明】
【０００９】１，ベアリング内臓歯車
２，丸ベルト（ゴムパッキン）
３，ガイド
４，たわみ防止
５，歯車
６，階段用持ち手
【図１】
0003137076.tif 000003
【手続補正書】
【提出日】平成19年8月11日(2007.8.11)
【手続補正１】
【補正対象書類名】実用新案登録請求の範囲
【補正対象項目名】全文
【補正方法】変更
【補正の内容】
【実用新案登録請求の範囲】
【請求項１】
直方体のトランクを有し、トランクを寝かした状態における両サイド下方の前後に二つの大歯車を持ち、その間に複数の小歯車を等間隔に並べ二つの大歯車に無端ベルト（２）を掛けトランクを寝かした状態における前方に水平の持ち手を付け、さらに持ち手中間部からトランクを寝かした状態における上方に伸びる持ち手（６）を備え、上方に伸びる持ち手はトランクに密着状態に収納可能としたカート。
【手続補正２】
【補正対象書類名】明細書
【補正対象項目名】０００８
【補正方法】変更
【補正の内容】
【０００８】
【図１】，本考案のカートの実施例を示す図面である
0003137076.tif 000004
0003137076.tif 000005
(57)【要約】      （修正有）【課題】これまでの帽子着用時の髪型の変形、蒸れ、汗の滲み、汚れ等を解消しようとする。【解決手段】帽子内側のサイズリボンに適切な突起物を配置、取り付けることによって帽子を被ったときの髪の変形の防止を図り、蒸れ、汗、汚れ等の不快感を除去し帽子本来の機能性、快適性を高めようとするものである。【選択図】図１
0003137079.tif 000002
【実用新案登録請求の範囲】
【請求項１】
本考案は、帽子着用のときの不便を解消するもの。具体的には帽子の内側のサイズリボンの部分に突起物を付着させることにより髪型の変形防止および頭部の蒸れ、汗の滲み等の防止を図り機能的且つ快適に被り易くする。
【考案の詳細な説明】
【技術分野】
【０００１】  本考案は帽子内側のサイズリボンに突起物を付着させる帽子に関するものである。
【背景技術】
【０００２】  通常帽子を着用した場合、髪型の変形、頭部の蒸れ、汗の滲み、汚れをきたす状況を生じる。
【考案の開示】
【考案が解決しようとする課題】
【０００３】  通常帽子を着用した場合に生ずる上記［０００２］の状況を防止し不快感を除去し快適性を保持しようとするもの。
【課題を解決するための手段】
【０００４】  サイズリボンはポリエステルまたは木綿地とし、これに付着する突起物はビニール樹脂またはプラスチックとする。
【考案の効果】
【０００５】  通常の帽子に比し快適で機能的な着用が図れる。
【考案を実施するための最良の形態】
【０００６】  帽子の内側サイズリボン地（ポリエステルまたは木綿等）にビニール樹脂またはプラスチック等適宜な素材で突起物（高さ７ｍｍ位、太さ３ｍｍ位、先端部は丸みを持たせる）を３〜４列に互い違いに並べうめこむ。
サイズリボンの前頭部（長さ１０ｃｍ位）の部分は皮膚に直接当たるので突起物は太め（太さ６ｍｍ位）とし、先端部は平らにして、やや間隔をとり１列にうめこみ滑り止めの役目もさせる。
【実施例】
【０００７】  以下添付図面に従って説明する。符号１はポリエステルまたは木綿地のサイズリボンそのものであり、符号２はビニール樹脂またはプラスチック等の素材による通常部の突起物の概容であり、符号３は前頭部の同素材による突起物の概容である。
【図面の簡単な説明】
【０００８】
【図１】本考案の実施例を示す帽子全体図（透視図）である。
【図２】帽子内側サイズリボンの部分図である。
【図３】帽子内側サイズリボンの前頭部の部分図である。
【符号の説明】
【０００９】  １        サイズリボン
２        ３〜４列の突起物
３        前頭部の突起物
【図１】
0003137079.tif 000003
【図２】
0003137079.tif 000004
【図３】
0003137079.tif 000005
【手続補正書】
【提出日】平成19年8月13日(2007.8.13)
【手続補正１】
【補正対象書類名】実用新案登録請求の範囲
【補正対象項目名】全文
【補正方法】変更
【補正の内容】
【実用新案登録請求の範囲】
【請求項１】
帽子の内側のサイズリボンの全部分に複数の突起物を付着させることを特徴とする帽子。
(57)【要約】      （修正有）【課題】積極的に腕、肩、肩甲骨を動かしてこりをほぐし、且つ回転ローラーの指圧効果によりこりを効果的に解消する。【解決手段】肩幅より少し長めのパイプ１の中央部に一対又は二対の回転ローラー２を設け、その両端に、握り手４をつけた柔軟で弾力性のあるクランク状の鋼線３を埋め込む。この肩、背中の指圧用具を使えば、腕、肩、肩甲骨を動かす事が出来、同時に回転ローラーによる指圧効果でこりを解消出来る。【選択図】図１
0003137078.tif 000002
【実用新案登録請求の範囲】
【請求項１】
肩幅より少し長めのパイプの中央部に一対又は二対の回転ローラを肩、背中の縦に走るつぼラインに合わせ固定する。柔軟で弾力性のある鋼線２本をクランク状に形成し各一端に握り手を取り付け、他方をパイプの両端に対象になる様埋め込んだ肩、背中のつぼ指圧用具。
【考案の詳細な説明】
【技術分野】
【０００１】  本考案は肩、背中のつぼ指圧、マッサージ用具に関する。
【背景技術】
【０００２】  従来肩、背中のつぼ指圧用具は傘の柄状になったものでつぼを刺激するもの、つぼ指圧用の突起を設けた板状のものに寝る等して指圧するものがあるが、積極的に腕、肩、肩甲骨を動かす事によりこりをほぐす用具はなかった。
【考案の開示】
【考案が解決しようとする課題】
【０００３】  本考案は腕、肩、肩甲骨を動かす事によりこりをほぐし、かつ肩、背中のつぼを刺激してこりを効果的に解消するものである。
【課題を解決するための手段】
【０００４】  この課題を解決するため請求項１の考案は、肩幅より少し長めのパイプの中央部に一対又は二対の回転ローラを肩、背中を縦に走るつぼのラインに合わせて固定する。柔軟で弾力性のある鋼線二本をクランク状に形成し各一端に握り手を取り付け、他方をパイプの両端に対象になる様に埋め込んだ肩、背中のつぼ指圧用具により肩、背中のこりを解消する。
【考案の効果】
【０００５】  肩、その他のこりは、筋肉の緊張による血流不足が主たる要因と言われている。この解決方法として患部のマッサージ、つぼ指圧、運動等があるが、本考案はこの三つの解決方法を同時又は関連付けて行うものである。本用具を肩、背中に回して握り手を持ち、握り手を中心に腕、ひじを回す様に動かして使う事により、腕、肩、肩甲骨周りの血流を改善し且つローラー部分の刺激で指圧、マッサージ効果を引き出すものである。また、ローラー部分を足裏にかけ握り手を引張る事で肩、背中の筋肉をのばし、足裏のマッサージを行う事が出来る。
【考案を実施するための最良の形態】
【０００６】  本考案にかかる肩、背中のつぼ指圧用具１０は、図１に示す様に肩幅より少し長めのパイプ  １の中央部に一対又は二対の回転ローラー  ２を肩、背中のつぼラインに合わせ固定する。柔軟で弾力性のある鋼線２本をクランク状に形成し  ３その一方の端に握り手４を取り付け、他方を  １のパイプの両端に対象になる様に埋め込む。本用具を肩、背中に回して握り手を持ち、握り手を中心に腕、ひじを大きく回す様に動かして使うので、鋼線は柔軟で弾力のあるものが良い。
【図面の簡単な説明】
【０００７】
【図１】  本考案の肩、背中のつぼ指圧用具の正面図。
【図２】  本考案の肩、背中のつぼ指圧用具の利用図。
【図３】  本考案の肩、背中のつぼ指圧用具の利用図。
【符号の説明】
【０００８】  １        肩幅より少し長めのパイプ
２        回転指圧ローラー
３        弾力性のあるクランク状の鋼線
４        握り手
１０        本考案の肩、背中のつぼ指圧用具の本体
【図１】
0003137078.tif 000003
【図２】
0003137078.tif 000004
【図３】
0003137078.tif 000005
【手続補正書】
【提出日】平成19年8月12日(2007.8.12)
【手続補正１】
【補正対象書類名】実用新案登録請求の範囲
【補正対象項目名】全文
【補正方法】変更
【補正の内容】
【実用新案登録請求の範囲】
【請求項１】
長さを肩幅より少し長めにして、中央部に一対又は二対の回転ローラーを設けたパイプの両端に、握り手をつけた弾力性のあるクランク状の鋼線を埋め込んだ  肩、背中のつぼ指圧用具。
(57)【要約】【課題】この考案は、バスタブとバスルームの床との狭い間であっても挿入でき使用することが可能であり、しかも、腰が強く、狭い箇所でも使用できるバスタブ下用清掃用ブラシを提供することにある。【解決手段】可撓性を有するシャフト（１）は、長方形状のバスタブの長手方向の幅よりも短い寸法のものであり、該シャフト（１）の一端には、シャフト（１）の径よりも太い握り手（２）を設け、該シャフト（１）の他端には、偏平状に形成されたブラシ（３）を設けたことを特徴とするバスタブ下用清掃ブラシから構成される。【選択図】      図１
0003137016.tif 000002
【実用新案登録請求の範囲】
【請求項１】
可撓性を有するシャフト（１）の一端に、握り手（２）を設け、該シャフト（１）の他端には、偏平状に形成されたブラシ（３）を設けたことを特徴とするバスタブ下用清掃ブラシ。
【考案の詳細な説明】
【技術分野】
【０００１】
この考案は、バスタブ下用清掃ブラシに関する。
【背景技術】
【０００２】
従来、バスタブは、バスルームの床に設置されており、通常、バスタブの長手方向の片面に側板が着脱可能に設けられており、通常はバスルームの底部が見えないように覆っている。
【０００３】
従って、平生は、側板によって遮蔽されているため、バスタブの下の汚れには気付かないことが多く、バスルームの洗い場の床は清掃しても浴槽の下の汚れは、そのまま放置している。
【０００４】
しかし、この側板で覆われたバスタブの下部は、バスタブから溢れ出る湯水や、バスタブの栓を外した際に、バスタブの下部に湯水が流れ落ち、排水穴に向けて流れるものであり、常に、湯中の湯垢が浴槽の下部に溜まっており、長時間そのままに放置しておくとドロドロしてヘドロのような臭いもし、かび等の雑菌もたまり、不衛生でもあった。
【０００５】
汚れは、湯垢が主なものであり、湯垢は水に溶けている石灰などが固まったものと思われるが、床面を擦れるデッキブラシのようなものでは、バスタブの下は狭く、使用が困難であり、また、出来たとしても、ほんの一部であり、届かない箇所が多いものである。
【０００６】
しかしながら、湯垢の溜まったバスタブの下の床を掃除するには、狭い箇所に入り込め、しかも、床面をしっかり擦れる，腰のあるブラシが必要となる。
【考案の開示】
【考案が解決しようとする課題】
【０００７】
そこで、この考案は、バスタブとバスルームの床との狭い間であっても挿入でき使用することが可能であり、しかも、腰が強く、狭い箇所でも使用できるバスタブ下用清掃用ブラシを提供することにある。
【課題を解決するための手段】
【０００８】
この考案による課題を解決するための手段としては、バスタブとバスルームの床との狭い箇所に容易に挿入できるシャフトと、バスルームの床面あるいはバスタブの底部を擦りやすい腰のあるブラシを設けたバスタブ下用清掃ブラシである。
【考案の効果】
【０００９】
この考案によると、シャフトは、可撓性を有しているため、バスタブとバスルームの床との狭い箇所にも容易に挿入でき、ブラシは腰があり、床面あるいはバスタブの底部を擦ることができ、不衛生となる部分を容易に清掃できる等極めて有益なる効果を奏するものである。
【考案を実施するための最良の形態】
【００１０】
以下、この考案の好適な実施の形態について、可撓性を有するシャフトの一端に、握り手を設け、該シャフトの他端には、偏平状に形成されたブラシを設けたバスタブ下用清掃ブラシから構成されるものである。
【実施例】
【００１１】
この考案の一実施例を図１に基づいて詳細に説明すると、可撓性を有するシャフト（１）は、バスルーム（Ｘ）に載置した長方形状のバスタブ（Ａ）の長手方向の幅よりも短い寸法のものであり、該シャフト（１）の一端には、シャフト（１）の径よりも太い握り手（２）を設け、該シャフト（１）の他端には、偏平状に形成されたブラシ（３）を設けたことを特徴とするバスタブ下用清掃ブラシから構成される。
【００１２】
そして、可撓性を有するシャフト（１）の具体的構造は、金属性でスパイラル状に形成されており、弾力性を有し、多少曲がりくねった箇所にも届くものであり、また、ブラシ（３）を擦るためのある程度の堅さは保持している。
【００１３】
また、握り手（２）は合成樹脂を素材としており、シャフト（１）の径よりも太く、あるいは偏平状に形成し、ブラシ（３）のコントロールを容易にしている。
【００１４】
さらに、偏平状に形成されたブラシ（３）の具体的構造は、合成樹脂性の繊維（３ａ）を並列して二本の針金（３ｂ，３ｂ）の間に挟み、これら針金を捩じり、これら針金を中心に放射状方向に合成樹脂性の繊維を位置させて円柱状に形成し、「たわし」のように構成したものであり、これを、略Ｗ状に形成して、厚みを制限し、幅を拡げた形状、即ち，偏平状に形成したものであり、図３に示すバスルーム（Ｘ）の床面とバスタブ（Ａ）との隙間部に溜まった湯垢等の汚れ（Ｂ）を擦って清掃するものである。
【産業上の利用可能性】
【００１５】
この考案の技術を確立し、実施・販売することにより、産業上利用できるものである。
【図面の簡単な説明】
【００１６】
【図１】この考案の一実施例を示す斜視図である。
【図２】この考案の一実施例を示す拡大断面図である。
【図３】この考案に使用するバスタブ下の汚れ状態を示す説明図である。
【符号の説明】
【００１７】
１  シャフト
２  握り手
３  偏平状のブラシ
３ａ  合成樹脂性の繊維
３ｂ  針金
Ａ  バスタブ
Ｂ  湯垢等の汚れ
Ｘ  バスルーム
【図１】
0003137016.tif 000003
【図２】
0003137016.tif 000004
【図３】
0003137016.tif 000005
(57)【要約】      （修正有）【課題】ローラ面とガラス面あるいは粗研磨鋼平板面との間が均一に接し、気泡を完全に追い出すことができるインクジェットプリンタの提供。【解決手段】粗研磨したローラ面と普通研磨ガラス面あるいは粗研磨した鋼平板との間に緩衝材を入れ加圧する。また、市販されている部材を組み合わせることで自走式ローラプレス機を製作することができ経済的である。【選択図】図１
0003137070.tif 000002
【実用新案登録請求の範囲】
【請求項１】
インクの粒子を取り込んだプラスチック写真パネル製作用自走式ローラプレス機。
インクジェットプリンタで印刷されたのインクの粒子を取り込んでプラスチック写真パネルを作る時、印刷物の上に重合剤を塗布し、その上に透明プラスチック板を載せローラプレス機で加圧し重合反応を促す。その時、重合剤と透明プラスチック板の間の気泡を追い出すために、粗研磨鋼平板とガラス板あるいは粗研磨鋼平板との間に緩衝材を敷くことでローラ面とガラス面あるいは粗研磨鋼平板面とが均一に接するようにした自走式ローラプレス機（特許文献参照）。
［特許文献］  特開２００２−１４９１０１号公報
【考案の詳細な説明】
【特許文献】  特開２００２−１４９１０１号  公報
【技術分野】
【０００１】  本考案は、ガラス板あるいは粗研磨鋼平板を使用した自走式ローラプレス機に関するものである。
【背景技術】
【０００２】  印刷物のインクの粒子を取り込んだプラスチック写真パネルを作るのに、ローラプレス機を必要とした。そのローラプレス機はローラ面と、それに接する平面とが精密に接触しなければ、印刷物の上に塗布した重合剤と、その上に載せられた透明プラスチック板との間に生じる気泡を追い出すことができなかった。
【考案が解決しようとする課題】
【０００３】  その為、高度な技術を要しローラ面およびガラス面あるいは鋼平板面を精密に研磨する必要があった。
【課題を解決するための手段】
【０００４】  そこで、ガラス板あるいは粗研磨鋼平板１と粗研磨鋼平板２との間に緩衝材を敷くことで気泡を完全に追い出すことができた。
【考案の効果】
【０００５】  本考案は、図１、図２、図３に示すようにガラス板あるいは粗研磨鋼平板１、粗研磨鋼平板２の間に弾性をもつ緩衝材３を挟むことで、ローラ４で加圧するとガラス板あるいは粗研磨鋼平板１の面とローラ面とが均一に接するようにしたものである。
【考案を実施するための最良の形態】
【０００６】  図１に示すように、特別な部材を必要とせずに既成の部材で組み立てることができる。
【実施例】
【０００７】  ローラ４の軸はストレッチャーユニット５のテークアップ型ユニット軸受６に固定されている。【０００８】  ローラ４の軸にはスプロケット７が設置されている。それが、チェーン８で駆動用モータ９に直結しているギアボックス１７のスプロケット１０と連結している。【０００９】  駆動用モータ９の動力は、直結しているギアボックス１７のスプロケット１０に伝動され、チェーン８を通してスプロケット７に伝えられローラ４を駆動させる。【００１０】  ストレッチャーユニット５には、高荷重アングライトスチールベアリング１１が設置され、１１の高荷重アングライトスチールベアリングはレール１２を上下から挟んでいる。【００１１】  ストレッチャーユニット５にはトルクレンチ１３がついており、トルクレンチを回転させることによってローラ４面とガラス板あるいは粗研磨鋼平板１とのあいだに一定の圧力を加えることができる。【００１２】  １４は、駆動用モータ９のスピード調節するつまみで、１５は、そのモータのスピードを調節するスピード調節機である。１６は電源スイッチで、１７は駆動用モータ９の回転数を制御するギアボックスである。
【産業上の利用可能性】
【００１３】  本考案のローラプレス機は、特別な部品を必要とせず既成の部品を組合せることで製作することができるため経済的である。また、製版プレス機として使用するができる。
【図面の簡単な説明】
【図１】  本考案に関する装置の鳥瞰図である。
【図２】  本考案に関する装置の正面図である。
【図３】  本考案に関する装置の右側面図である。
【符号の説明】
１・・・ガラス板あるいは粗研磨鋼平板
２・・・粗研磨鋼平板
３・・・緩衝材
４・・・ローラ
５・・・ストレッチャーユニット
６・・・テークアップ型ユニット軸受
７・・・ローラ軸に固定されたスプロケット
８・・・チェーン
９・・・駆動用モータ
１０・・駆動用モータのギアボックスに直結されたスプロケット
１１・・高荷重アングライトスチールベアリング
１２・・レール
１３・・トルクレンチ
１４・・モータのスピードをコントロールするつまみ
１５・・モータスピードコントロールユニット
１６・・電源スイッチ
１７・・ギアボックス
【図１】
0003137070.tif 000003
【図２】
0003137070.tif 000004
【図３】
0003137070.tif 000005
【手続補正書】
【提出日】平成19年5月29日(2007.5.29)
【手続補正１】
【補正対象書類名】実用新案登録請求の範囲
【補正対象項目名】全文
【補正方法】変更
【補正の内容】
【実用新案登録請求の範囲】
【請求項１】
ローラ面と接する鋼平板に、粗研磨鋼平板を使用した自走式ローラプレス機。
(57)【要約】      （修正有）【課題】デスクトップ型に近づけるためと、携帯できる利便性を一つにまとめた分離型ノートパソコンを提供する。【解決手段】ノートパソコンのディスプレイ部分とキーボード付き本体の部分を着脱出来るようにし、ディスプレイをスタンドなどに置くことによって、デスクトップ型パソコンのように利用できる。本体にコードなどを収納しておいたり、別のコードで繋ぐ事が出来るようにしてもよい。無線で操作できるようにしてもよい。携帯するときはモニターを戻し、従来のノートパソコンとして利用できる。【選択図】図１
0003137068.tif 000002
【実用新案登録請求の範囲】
【請求項１】
ノートパソコンのディスプレイ部分とキーボード付き本体の部分とがどちらかに収納できるコードで繋ぐことが出来る。
【請求項２】
ノートパソコンのディスプレイ部分とキーボード付き本体の部分が完全に分離し、コードで繋げる事ができる。
【請求項３】
ノートパソコンのモニター部分とキーボード付き本体の部分が完全に分離し、無線でデータをやり取りできる。
【考案の詳細な説明】
【技術分野】本考案は体に楽なデスクトップ型と携帯できる利便性をもったノートパソコンを一つにまとめた技術です
【背景技術】今まではデスクトップ型とノート型に完全に分かれています
【考案の開示】
【考案が解決しようとする課題】疲れ目、肩こりなど体への負担が軽いデスクトップ型に近づけるためと、携帯できる利便性を一つにまとめ経済的にも２台持つ必要がなくなる技術です
【課題を解決するための手段】ノートパソコンのディスプレイ部分とキーボード付き本体の部分を着脱出来るようにし、ディスプレイをスタンドなどに置くことによって、デスクトップ型パソコンのように利用できます。本体にコードなどを収納しておいたり、別のコードで繋ぐ事が出来るようにしてもよいでしょう。いずれは無線で操作できるようになればいいと思います。携帯するときはディスプレイを戻し従来のノートパソコンとして利用できます。
【考案の効果】今までデスクトップ型が欲しくても、仕事上などで無理にノートパソコンを利用していた人にも喜ばれますし、２台持つ必要が無いので経済的にも助かります。
【図１】
0003137068.tif 000003
【図２】
0003137068.tif 000004
【図３】
0003137068.tif 000005
【手続補正書】
【提出日】平成19年5月23日(2007.5.23)
【手続補正１】
【補正対象書類名】実用新案登録請求の範囲
【補正対象項目名】全文
【補正方法】変更
【補正の内容】
【実用新案登録請求の範囲】
【請求項１】
ノートパソコンのディスプレイ部分とキーボード付き本体の部分が完全に分離し、有線又は無線でデータのやり取りができる分離型ノートパソコン。
【手続補正２】
【補正対象書類名】明細書
【補正対象項目名】全文
【補正方法】変更
【補正の内容】
【考案の詳細な説明】
【技術分野】本考案は体に楽なデスクトップ型と携帯できる利便性を持ったノートパンコンを一つにまとめた技術です
【背景技術】今まではデスクトップ型とノート型に完全に分かれています
【考案の開示】
【考案が解決しようとする課題】疲れ目、肩こりなど体への負担が軽いデスクトップ型に近づけるためと、携帯できる利便性を一つにまとめ経済的にも２台持つ必要がなくなる技術です
【課題を解決するための手段】ノートパソコンのディスプレイ部分とキーボード付き本体の部分を着脱出来るようにし、ディスプレイをスタンドなどに置くことによって、デスクトップ型パソコンのように利用できます。本体にコードなどを収納しておいたり、別のコードで繋ぐ事が出来るようにしてもよいでしょう。いずれは無線で操作できるようになればいいと思います。携帯するときはモニターを戻し従来のノートパソコンとして利用できます。
【考案の効果】今までデスクトップ型が欲しくても、仕事上などで無理にノートパソコンを利用していた人にも喜ばれますし、２台持つ必要が無いので経済的にも助かります。
【図面の簡単な説明】
【図１】は平面図である  １のディスプレイ部分と２のキーボード付き本体は３のドッキング可能な部品を用いることにより分割でき、４のディスプレイ用スタンドなどを利用しながらデスクトップ型パソコンとして使用することができる。このとき５のコードなどで繋いだり、無線でデータのやり取りが出来る分離型パソコンである。
【手続補正３】
【補正対象書類名】図面
【補正対象項目名】全図
【補正方法】変更
【補正の内容】
【図１】
0003137068.tif 000006
(57)【要約】      （修正有）【課題】任意の絵柄、模様及び文字を透かしとして表現できる淡彩色透かしタックシールであり、印刷表現不可の固体に、接着対処をする事により製品の模造対策のセキュリティ用途に役立つ。【解決手段】一般印刷インキ粘度と同等の印刷適応含浸剤インキを用いて、印刷用版材を印刷機に設置し、機械を回転させ被加工紙、タックシール紙に透かしを形成させる。タックシール原紙７をセットし，機械が回転すると、含浸剤インキ６が印刷版材５に転着し、機械が回転するとタックシール紙７に透かし含浸剤インキが転写され、透かし１を形成する。連続して切刃具８によって任意の寸法に仕上がる。【選択図】図３
0003137063.tif 000002
【実用新案登録請求の範囲】
【請求項１】
吸浸性の高い含浸剤インキをタックシール原紙に印刷機械印刷工程を活用する事により、着色、無着色の何れを問わず、任意の淡彩色に、連続に製作し、透かしを表現する淡彩色透かしタックシールです。
【請求項２】
無着色透かしタックシール
【請求項３】
任意の淡彩色透かしタックシール
【請求項４】
任意の淡彩色透かし
【考案の詳細な説明】
【技術分野】
【０００１】  本発明はタックシールに、模様、及び文字を淡彩色の透かし加工製造するものである。
【背景技術】
【０００２】  従来透かし加工品においては、裏面に粘着剤塗工のされて無い用紙に加工されている。
これらの事は紙幣等から一般に知られて居る。
【考案の開示】
【考案が解決しようとする課題】
【０００３】  透かし製作については、製作多日数、裏面に粘着加工したラベルタイプ以外の一般用紙に制約される。無色透明透かしの実体。又、完成品の証紙、金券等の後加工に関しての形成は難題である。
【課題を解決するための手段】
【０００４】  タックシール印刷物の特定部分、又は全面に、透かしを加工し、特殊印刷物件として差別化でき、又直接現品に文面、絵柄を表示し難い物件に透かしタックシールを接着する事により、固体物多品種への表示が出来る。
【考案の効果】
【０００５】    本発明は、タックシール特有の用途業種類多大である同時に、模造品対策のセキュリティ用途、さらに固有の自己表現と、偽造防止用途につながる。
【考案を実施するための最良の形態】
【０００６】  以下、本発明の実施の形態を説明する。
一般印刷インキ粘度と同等の印刷適応含浸剤インキを用いて、印刷用版材を印刷機に設置し、機械を回転させ被加工紙、タックシール紙に透かしを形成させる。
（イ）  タックシール原紙（７）をセットし，機械が回転すると、含浸剤インキ（６）が印刷版材（５）に転着し、機械が回転するとタックシール紙（７）に透かし含浸剤インキが転写され、透かし（１）を形成する。連続して切刃具（８）によって任意の寸法に仕上がる
【図面の簡単な説明】
【０００７】
【図１】本発明の透かしタックシール平面図。
【図２】図１におけるタックシールを中央で切断した断面図である。
【図３】本発明の制作工程図。
【符号の説明】
【０００８】  （１）透かし、（２）タックシール、（３）剥離紙、（４）粘着剤、（５）印刷版、（６）含浸剤インキ、（８）切刃具、（９）インキローラ、（１０）送り出しローラ、（１１）版受けローラ、
【図１】
0003137063.tif 000003
【図２】
0003137063.tif 000004
【図３】
0003137063.tif 000005
【手続補正書】
【提出日】平成19年1月9日(2007.1.9)
【手続補正１】
【補正対象書類名】実用新案登録請求の範囲
【補正対象項目名】全文
【補正方法】変更
【補正の内容】
【実用新案登録請求の範囲】
【請求項１】
タックシール用紙に印刷機械で印刷した、透かしタックシール。
【手続補正２】
【補正対象書類名】明細書
【補正対象項目名】全文
【補正方法】変更
【補正の内容】
【考案の詳細な説明】
【技術分野】
【０００１】本考案はタックシール紙に、絵柄、及び文字の透かし加工製造するものである。
【背景技術】
【０００２】従来透かし加工は、裏面に粘着剤が加工されてない枚葉用紙に加工されている。
これらの事は紙幣等から一般に知られて居る。
【考案の開示】
【考案が解決しようとする課題】
【０００３】透かし製品については、特殊な機械及び製作方法によって、枚葉紙に加工されている、裏面に粘着糊を加工したタックシール紙への加工例はない。本考案は製作様式と、印刷方式により解決した。
【課題を解決するための手段】
【０００４】タックシ−ル紙に、絵柄及び文字を、印刷機で透かしインキを印刷版から用紙に印刷する事により、透かしインキが浸透した、透かしタックシールが形成される。
【考案の効果】
【０００５】  透かしタックシールを被着体に貼付する事により、商品、物品の模造品防止、偽造防止、封印、等のセキュリティ対策品として使用出来る。
【考案を実施するための最良の形態】
【０００６】以下、本考案の実施の形態を説明する。
（イ）剥離紙（３）上に仮接着されたタックシール紙（２）、の上部に印刷され、透かし絵柄（１）、が表現されている。
（ロ）タックシール（２）、を剥離紙（３）、から剥がして粘着部分を下側にし、任意の被着体に、加圧し接着する。
【図面の簡単な説明】
【０００７】
【図１】本考案の透かしタックシール斜視図である。
【図２】図１におけるタックシール断面図である。
【符号の説明】
【０００８】  （１）透かし、（２）タックシール、（３）剥離紙、（４）タックシール粘着剤部分。
【手続補正３】
【補正対象書類名】図面
【補正対象項目名】全図
【補正方法】変更
【補正の内容】
【図１】
0003137063.tif 000006
【図２】
0003137063.tif 000007
【手続補正書】
【提出日】平成19年4月17日(2007.4.17)
【手続補正１】
【補正対象書類名】実用新案登録請求の範囲
【補正対象項目名】全文
【補正方法】変更
【補正の内容】
【実用新案登録請求の範囲】
【請求項１】
タックシール用紙に印刷機械で絵柄、文字等を印刷した、透かしタックシール。
【請求項２】
印刷機で、剥離紙（３）、タックシール粘着剤（４）とタックシール（２）一体の、タックシール紙上面に、絵柄、文字等を浸透剤インキにて印刷、浸透剤が浸透固定し、タックシール紙に透かしを形成する。
【手続補正書】
【提出日】平成19年8月7日(2007.8.7)
【手続補正１】
【補正対象書類名】実用新案登録請求の範囲
【補正対象項目名】全文
【補正方法】変更
【補正の内容】
【実用新案登録請求の範囲】
【請求項１】
タックシール紙に、透かしインキで、証紙、レッテル、ラベル、ステッカー等の全体、又一部分に透かし印刷した透かしタックシール。
【請求項２】
印刷機で、タックシール紙面に透かしインキで印刷を施した透かしタックシール。